(57)【特許請求の範囲】
【請求項１】
光源から出射された赤外域の第１波長の光束を被検眼の網膜に導く照明光学系と、網膜からの反射光束を受光部に導く受光光学系と、前記受光部に受光された反射光束に基づいて網膜反射率を測定した後にその測定網膜反射率に対応して予め設定された補正要素によって測定網膜反射率に補正を施すと共にその補正網膜反射率を前記第１波長とは異なる波長領域の第２波長での網膜反射率に変換した上でその変換網膜反射率から被検眼の光学的特性を演算する演算部と、該演算部で演算された被検眼の光学的特性に基づいて被検眼に提示された対象物の被検眼上での見え方を表示する表示部とを備えていることを特徴とする眼科装置。
【請求項２】
前記受光部は赤外域の第１波長の反射光束を受光し、前記演算部は赤外域の第１波長の反射光束に基づいて測定された測定網膜反射率に対応する補正網膜反射率を可視域での網膜反射率に変換した上でその変換網膜反射率から被検眼の光学的特性を演算することを特徴とする請求項１に記載の眼科装置。
【請求項３】
光源から出射された赤外域の第１波長の光束を被検眼の網膜に導く照明光学系と、網膜からの反射光束を受光部に導く受光光学系と、被検眼の前眼部からの反射光束を第２受光部に導く第２受光光学系と、前記受光部に受光された反射光束に基づいて網膜反射率を測定した後に前記第２受光部に受光された反射光束に基づく測定結果に対応して予め設定された補正要素によって測定網膜反射率に補正を施すと共にその補正網膜反射率を前記第１波長とは異なる波長領域の第２波長での網膜反射率に変換した上でその変換網膜反射率から被検眼の光学的特性を演算する演算部と、該演算部で演算された被検眼の光学的特性に基づいて被検眼に提示された対象物の被検眼上での見え方を表示する表示部とを備えていることを特徴とする眼科装置。
【請求項４】
前記第２受光光学系は前眼部としての被検眼の虹彩からの反射光束を前記第２受光部に導き、前記演算部は前記第２受光部に受光された虹彩からの反射光束によって虹彩の色又は反射率を検出すると共にその検出した虹彩の色又は反射率を補正要素として測定網膜反射率に補正を施すと共にその補正網膜反射率を前記第１波長とは異なる波長領域の第２波長での網膜反射率に変換した上でその変換網膜反射率から被検眼の光学的特性を演算することを特徴とする請求項３に記載の眼科装置。
【請求項５】
前記第２受光光学系は前眼部としての被検眼の瞼からの反射光束を前記第２受光部に導き、前記演算部は前記第２受光部に受光された瞼からの反射光束によって瞼の色又は反射率を検出すると共に検出した瞼の色又は反射率を補正要素として測定網膜反射率に補正を施すと共にその補正網膜反射率を前記第１波長とは異なる波長領域の第２波長での網膜反射率に変換した上でその変換網膜反射率から被検眼の光学的特性を演算することを特徴とする請求項３に記載の眼科装置。
【請求項６】
前記演算部は検出した虹彩若しくは瞼の色が濃い又は反射率が低いほど測定網膜反射率に対する補正量が少ないことを特徴とする請求項４又は請求項５に記載の眼科装置。
【請求項７】
前記受光光学系と前記第２受光光学系とはその一部の構成を共通としたことを特徴とする請求項３乃至請求項６の何れかに記載の眼科装置。
【請求項８】
光源から出射された赤外域の第１波長の光束を被検眼の網膜に導く照明光学系と、網膜からの反射光束を受光部に導く受光光学系と、前記第１波長で測定した網膜反射率と該第１波長とは異なる波長領域の第２波長で測定した網膜反射率との関係から予め設定された補正要素を入力する入力部と、前記受光部に受光された反射光束に基づいて測定された測定網膜反射率に前記入力部から入力された補正要素によって補正を施すと共にその補正網膜反射率を前記第１波長とは異なる波長領域の第２波長での網膜反射率に変換した上でその変換網膜反射率から被検眼の光学的特性を演算する演算部と、該演算部で演算された被検眼の光学的特性に基づいて被検眼に提示された対象物の被検眼上での見え方を表示する表示部とを備えていることを特徴とする眼科装置。
【請求項９】
前記入力部に入力される補正要素は人種，瞼の色又は反射率，虹彩の色又は反射率，瞳の反射率の何れか一つを含んでいることを特徴とする請求項８に記載の眼科装置。
【請求項１０】
測定網膜反射率，補正網膜反射率，変換網膜反射率は、各反射率に対応する測定点像強度分布，補正点像強度分布，変換点像強度分布であることを特徴とする請求項１乃至請求項８の何れか一つに記載の眼科装置。
【発明の詳細な説明】
【０００１】
【発明の属する技術分野】
この発明は、赤外域の第１波長の光束で実際に測定された網膜反射率を第１波長とは異なる波長領域の第２波長で測定した場合の網膜反射率に変換して被検眼の光学的特性を演算する眼科装置に関する。
【０００２】
【従来の技術】
従来の眼科装置には、被検眼の網膜からの反射光束に基づく点像強度分布（ＰＳＦ＝Ｐｏｉｎｔ  Ｓｐｒｅａｄ  Ｆｕｎｃｔｉｏｎ）から被検眼の光学的特性を測定するものがある。
【０００３】
この際、可視域の光束で測定を行った場合、像が鮮鋭に現れることから測定結果の精密性は確保されるものの、被験者が眩しくて不快を感じることや、瞳孔が縮んでしまうなどの不具合が生じていた。
【０００４】
このため、図９に示すように、赤外域の光束を用いて被検眼の光学的特性に由来する点像強度分布を測定する眼科装置が多く採用されている（例えば、特開平７−１００１０７号公報参照）。
【０００５】
この図９に示した眼科装置において、１は被検眼Ｅの光学的特性に由来する点像強度分布を測定する測定手段、２は点像強度分布を重ね合わせて積分する画像処理手段を有するコンピュータ、３はコンピュータ２を介して検者によって操作されて所定の検眼用指標を被検眼Ｅに提示する指標提示装置、４は指標提示装置３の視準光軸Ｏ１上に配置されてコンピュータ２を介して検者によって操作される被検眼Ｅの屈折度を矯正する矯正レンズ、５は指標提示装置３と矯正レンズ４との間の視準光軸Ｏ１上に配置された斜設ハーフミラーである。
【０００６】
測定手段１は斜設ハーフミラー５によって視準光軸Ｏ１と同軸とされる反射光軸Ｏ２上に配置されている。測定手段１は、点像のパターン（赤外点光源）を被検眼Ｅに投影する投影光学系と、被検眼Ｅの眼底ＥＲ上でのパターン像の点像強度分布を検出する受光装置の受光面を有する受光光学系とを備えている。
【０００７】
このような構成において、被検眼Ｅは矯正レンズ４を介して検眼用指標３を視準する。このとき、被検眼Ｅの眼底ＥＲ上には検眼用指標１の像が結像する。
【０００８】
測定手段１は、赤外光束をハーフミラー５、矯正レンズ４及び被検眼Ｅの光学系を通して眼底ＥＲ上に投影する。この際、赤外光束は矯正レンズ４及び被検眼Ｅの光学系によって変調されて特有の光点像強度分布を持つ点像となる。この点像は被検眼Ｅの光学系、矯正用レンズ系４及びハーフミラー５を介して再び測定手段１の受光装置の受光面に結像され、コンピュータ２内で補正されて点像強度分布関数として取り込まれる。
【０００９】
さらに、コンピュータ２内では検眼用指標３を現す画像信号に対して点像強度分布関数が重ね合わせて積分されて被検眼Ｅの眼底ＥＲ上に結像しているのと同じ像状態の検眼用指標の像がシミュレートされる。
【００１０】
コンピュータ２の表示部２ａには、シミュレートされた像の画像２ｂが表示される。この際、表示部２ａには、上述したパターン像の点像強度分布に対応する点像強度分布データ及び所定の指標に対応する指標データに基づいて、その被検眼Ｅによって所定の指標を観察した場合の見え具合の指標像が表示される。
【００１１】
ところで、このような赤外光束を用いた測定では、被検者が通常見ている波長条件と違うことや、網膜上でにじむ等の問題が生じていた。
【００１２】
一方、論文（Ｖｏｌ．１４，Ｎｏ．５／Ｍａｙ１９９７／Ｊ．Ｏｐｔ．Ｓｏｃ．Ａｍ．Ａ）では、異なる波長を用いて測定することによって、各波長による特性が確認されている。
【００１３】
【発明が解決しようとする課題】
そこで、過去の各波長域での測定結果の蓄積を利用し、実際の測定には被検眼への負担の少ない赤外光束で行い、その結果を可視光束での測定値に変換することによって信頼性の高い測定結果を得るという考えに至った。
【００１４】
しかしながら、このような変換を行う際には、個人差や人種の違い、或は、瞼や虹彩の色や反射率によって網膜の反射率が変化することから、網膜上でのにじみ量も変化してしまうため、測定結果も変わってしまうという新たな問題が発生した。
【００１５】
本願発明は、赤外域の第１波長での測定を第１波長とは異なる領域の第２波長での測定値に変換すると共に、その変換の際に補正を行うことによって測定結果の信頼性を向上させることができる眼科装置を提供することを目的とする。
【００１６】
【課題を解決するための手段】
その目的を達成するため、請求項１に記載の発明は、光源から出射された赤外域の第１波長の光束を被検眼の網膜に導く照明光学系と、網膜からの反射光束を受光部に導く受光光学系と、前記受光部に受光された反射光束に基づいて網膜反射率を測定した後にその測定網膜反射率に対応して予め設定された補正要素によって測定網膜反射率に補正を施すと共にその補正網膜反射率を前記第１波長とは異なる波長領域の第２波長での網膜反射率に変換した上でその変換網膜反射率から被検眼の光学的特性を演算する演算部と、該演算部で演算された被検眼の光学的特性に基づいて被検眼に提示された対象物の被検眼上での見え方を表示する表示部とを備えていることを要旨とする。
【００１７】
また、請求項２に記載の発明は、前記受光部は赤外域の第１波長の反射光束を受光し、前記演算部は赤外域の第１波長の反射光束に基づいて測定された測定網膜反射率に対応する補正網膜反射率を可視域での網膜反射率に変換した上でその変換網膜反射率から被検眼の光学的特性を演算することを要旨とする。
【００１８】
請求項３に記載の発明は、光源から出射された赤外域の第１波長の光束を被検眼の網膜に導く照明光学系と、網膜からの反射光束を受光部に導く受光光学系と、被検眼の前眼部からの反射光束を第２受光部に導く第２受光光学系と、前記受光部に受光された反射光束に基づいて網膜反射率を測定した後に前記第２受光部に受光された反射光束に基づく測定結果に対応して予め設定された補正要素によって測定網膜反射率に補正を施すと共にその補正網膜反射率を前記第１波長とは異なる波長領域の第２波長での網膜反射率に変換した上でその変換網膜反射率から被検眼の光学的特性を演算する演算部と、該演算部で演算された被検眼の光学的特性に基づいて被検眼に提示された対象物の被検眼上での見え方を表示する表示部とを備えていることを要旨とする。
【００１９】
請求項４に記載の発明は、前記第２受光光学系は前眼部としての被検眼の虹彩からの反射光束を前記第２受光部に導き、前記演算部は前記第２受光部に受光された虹彩からの反射光束によって虹彩の色や反射率を検出すると共にその検出した虹彩の色や反射率を補正要素として測定網膜反射率に補正を施すと共にその補正網膜反射率を前記第１波長とは異なる波長領域の第２波長での網膜反射率に変換した上でその変換網膜反射率から被検眼の光学的特性を演算することを要旨とする。
【００２０】
請求項５に記載の発明は、前記第２受光光学系は前眼部としての被検眼の瞼からの反射光束を前記第２受光部に導き、前記演算部は前記第２受光部に受光された瞼からの反射光束によって瞼の色や反射率を検出すると共に検出した瞼の色や反射率を補正要素として測定網膜反射率に補正を施すと共にその補正網膜反射率を前記第１波長とは異なる波長領域の第２波長での網膜反射率に変換した上でその変換網膜反射率から被検眼の光学的特性を演算することを要旨とする。
【００２１】
請求項６に記載の発明は、前記演算部は検出した虹彩若しくは瞼の色が濃い又は反射率が低いほど測定網膜反射率に対する補正量が少ないことを要旨とする。
【００２２】
請求項７に記載の発明は、前記受光光学系と前記第２受光光学系とはその一部の構成を共通としたことを要旨とする。
【００２３】
請求項８に記載の発明は、光源から出射された赤外域の第１波長の光束を被検眼の網膜に導く照明光学系と、網膜からの反射光束を受光部に導く受光光学系と、前記第１波長で測定した網膜反射率と該第１波長とは異なる波長領域の第２波長で測定した網膜反射率との関係から予め設定された補正要素を入力する入力部と、前記受光部に受光された反射光束に基づいて測定された測定網膜反射率に前記入力部から入力された補正要素によって補正を施すと共にその補正網膜反射率を前記第１波長とは異なる波長領域の第２波長での網膜反射率に変換した上でその変換網膜反射率から被検眼の光学的特性を演算する演算部と、該演算部で演算された被検眼の光学的特性に基づいて被検眼に提示された対象物の被検眼上での見え方を表示する表示部とを備えていることを要旨とする。
【００２４】
請求項９に記載の発明は、前記入力部に入力される補正要素は人種，瞼の色又は反射率，虹彩の色又は反射率，瞳の反射率の何れか一つを含んでいることを要旨とする。
【００２５】
請求項１０に記載の発明は、測定網膜反射率，補正網膜反射率，変換網膜反射率は、各反射率に対応する測定点像強度分布，補正点像強度分布，変換点像強度分布であることを要旨とする。
【００２６】
【発明の実施の形態】
次に、本発明の眼科装置の実施の形態を、被検眼の光学的特性に由来する点像強度分布を測定する自覚式検眼装置に適用し、図面に基づいて説明する。
【００２７】
図１乃至図８は本発明の眼科装置の実施の形態を示す。
【００２８】
［補正の考え方］
図４の点像強度分布では照明光源の波長が変化すると網膜での反射率が変化することが示されている。ここで、図４の実線で示した可視光での点像強度分布の関数をＶ（ｘ）、同じく破線で示した赤外光での点像強度分布の関数をＩ（ｘ）とそれぞれ正規化した値として示す。可視光と赤外光を比べると可視光で鮮鋭な点像強度分布となり、赤外光ではにじみも大きくなることが判る。そのため、赤外光による点像強度分布の測定の場合、可視光の分布に近づけるよう補正する必要がある。可視光と赤外光の違いをＱ（ｘ）という関数でまとめると、赤外光の測定値から可視光での値に補正する場合、
Ｖ（ｘ）＝ＩY（ｘ）＊ＱY（ｘ）…（１）
の式で求めることができる。また、この（１）式のモデルとして、図５（Ａ），（Ｂ）が考えられる。
【００２９】
一方、被検眼の網膜での反射率（又は密度）は、例えば、被検眼の虹彩の色が黒系（黒人系）・茶系（東洋人系）・青系（白人系）であるように、虹彩，瞼，瞳又は肌の色や反射率が人種によって異なることから明らかなように、個人差がある。
【００３０】
図６は同じ光源（赤外光）を使用している場合であっても網膜からの反射率が個人差によって変化することから、点像強度分布が個人差や人種等の違いで異なった一例を示している。この際、図６の実線で示した網膜からの反射率が低い人の点像強度分布の関数をＩB（ｘ）、一点鎖線で示した網膜からの反射率中位の人の点像強度分布の関数をＩY（ｘ）、破線で示した網膜からの反射率が高い人の点像強度分布の関数をＩW（ｘ）として比較すると、網膜からの反射率が低い人の方に順ににじみが少ないことが判る。図７は、この図６で示した各段階毎の点像強度を正規化した値として示したものである。
【００３１】
従って、赤外光による点像強度分布に基づいて被検眼の光学的測定（屈折力）を測定する際、可視光の点像強度分布に基づく被検眼の光学的特性の測定値を求めるためには、赤外光による点像強度分布ＩB（ｘ），ＩY（ｘ），ＩW（ｘ）を求めた後、基準以外の点像強度分布（例えば、ＩY（ｘ），ＩW（ｘ））を基準の点像強度分布（例えば、ＩY（ｘ））に変換（補正）する必要がある。このときの補正関数をＰB（ｘ），ＰW（ｘ）とすると、
ＩY（ｘ）＝ＩB（ｘ）＊ＰB（ｘ）…（２）
ＩY（ｘ）＝ＩW（ｘ）＊ＰW（ｘ）…（３）
により基準の点像強度分布変換（補正）することができる。
【００３２】
図８は、網膜からの反射率が高い場合、中位の場合、低い場合の３段階とすると共に、網膜からの反射率が高い場合を黒人系（虹彩色が黒系）、中位の場合を東洋人系（虹彩色が茶系）、低い場合を白人系（虹彩色が青系）というように人種で振り分けた補正を行う際の補正率の概略の一覧表である。尚、網膜からの反射率の高い場合と中位の場合との間、並びに、中位の場合と低い場合との間での補正を可能とした５段階とするなど、補正例は各種要素を考慮したものとすることができる。
【００３３】
ここで、網膜からの反射率が基準と異なる被検眼に測定に用いる第１波長の光束（赤外光）を照射した際の点像強度分布（ＩB（ｘ）又はＩW（ｘ））を測定する。
【００３４】
測定された点像強度分布には、網膜からの反射率の相違による要素が含まれているため、被検眼の瞼，虹彩，肌の色又は反射率に応じた補正関数（ＰB（ｘ），ＰW（ｘ））を選択し、（２）式又は（３）式を利用して基準の網膜反射率の場合の点像強度分布に変換する。
【００３５】
そして、第１波長とは異なる第２波長で測定した場合の点像強度分布に（１）式を用いて変換する。尚、上述では、網膜からの反射率が基準と異なる被検眼に測定に用いる第１波長の光束（赤外光）を照射した際の点像強度分布（ＩB（ｘ）又はＩW（ｘ））を、一旦被検眼の瞼，虹彩，肌の色又は反射率に応じた補正関数（ＰB（ｘ），ＰW（ｘ））を選択し、（２）式又は（３）式を利用して基準の網膜反射率の場合の点像強度分布に変換し、その後、第１波長とは異なる第２波長で測定した場合の点像強度分布に（１）式を用いて変換している。また、網膜からの反射率が基準と異なる被検眼に測定に用いる第１波長の光束（赤外光）を照射した際の点像強度分布（ＩB（ｘ）又はＩW（ｘ））に、被検眼の瞼，虹彩，肌の色又は反射率に応じた補正関数（ＰB（ｘ），ＰW（ｘ））を選択し、さらに、第１波長とは異なる第２波長で測定した場合の点像強度分布に変換する補正関数ＱＹを（１）式を用いて変換している。
【００３６】
しかし、網膜からの反射率が基準と異なる被検眼に測定に用いる第１波長の光束（赤外光）を照射した際の点像強度分布（ＩB（ｘ）又はＩW（ｘ））に、被検眼の瞼，虹彩，肌の色又は反射率に応じた補正関数（ＰB（ｘ），ＰW（ｘ））及び第１波長とは異なる第２波長で測定した場合の点像強度分布に変換する補正関数ＱY（ｘ）を用い、
Ｖ（ｘ）＝ＰB（ｘ）＊ＱY（ｘ）＊ＩB（ｘ）…（４）
Ｖ（ｘ）＝ＰW（ｘ）＊ＱY（ｘ）＊ＩW（ｘ）…（５）
で第２波長で測定した場合の点像強度分布Ｖ（ｘ）を直接に求めるようにしても構わない。
【００３７】
【実施例１】
図１は本発明の眼科装置の実施例１を示し、被検眼Ｅの眼底ＥＲの反射率に応じて補正を行う場合の光学系の説明図である。この図１において、ＥＣは被検眼Ｅの角膜、ＥＩは被検眼Ｅの虹彩、ＥＬは被検眼Ｅの水晶体、ＥＭは被検眼Ｅの網膜、３は検者の操作によって所定の検眼用指標を被検眼Ｅに提示する指標提示装置である。
【００３８】
眼科装置は、光源１１から出射された赤外域の第１波長の光束を被検眼Ｅの網膜ＥＭ上の微小な領域（眼底ＥＲの一部）に導く照明光学系１０と、網膜ＥＭからの反射光束を受光部としてのＣＣＤ２１に導く受光光学系２０とを有する。
【００３９】
照明光学系１０は、光源１１、コリメータレンズ１２、リレーレンズ１３、斜設ハーフミラー１４、対物レンズ１５をこの順に有する。光源１１と網膜ＥＭとは共役となっている。対物レンズ１５には複数種類の屈折矯正用レンズの任意のものが用いられている。リレーレンズ１３又は光源１１からリレーレンズ１３に至る光学部品のユニットは、図示を略す移動手段によって照明光軸Ｏ４に沿って移動可能となっている。
【００４０】
光源１１から出射された赤外域の第１波長の照明光束は、コリメータレンズ１２によって平行光束とされた後、リレーレンズ１３を透過して斜設ハーフミラー１４によって対物レンズ１５の主光軸Ｏ３へと反射され、対物レンズ１５によって被検眼Ｅの網膜ＥＭへと導かれる。
【００４１】
受光光学系２０は、対物レンズ１５、斜設ハーフミラー１４、斜設ハーフミラー２２、リレーレンズ２３、結像レンズ２４、ＣＣＤ２１をこの順に有する。
【００４２】
網膜ＥＭとＣＣＤ２１の受光面とは共役となっている。リレーレンズ２３又はリレーレンズ２３からＣＣＤ２１に至る光学部品のユニットは、図示を略す移動手段によって上記照明光学系１０のリレーレンズ１３又はリレーレンズ１３を含むユニットと互いの共役関係を保ちながら図示を略す移動手段によって受光光軸Ｏ５に沿って移動可能となっている。
【００４３】
網膜ＥＭで反射された照明光学系１０からの赤外反射光束は、対物レンズ１５並びに斜設ハーフミラー１４を透過した後、斜設ハーフミラー２２によって受光光軸Ｏ５に向けて反射され、リレーレンズ２３を透過して結像レンズ２４によってＣＣＤ２１に受光される。
【００４４】
ＣＣＤ２１に受光された反射光束に基づく第１信号は演算部２５へと出力される。演算部２５では、
（ａ）第１信号によって網膜ＥＭの反射率（測定網膜反射率）を測定する。
（ｂ）第１信号によって網膜ＥＭの反射率に対応する補正要素を求める。
（ｃ）（ａ）で演算した測定網膜反射率を（ｂ）で求めた補正要素で補正して補正網膜反射率とする。
（ｄ）（ｃ）で求めた補正網膜反射率を光源１１の第１波長の光束とは異なる第２波長としての可視域での網膜反射率に変換して変換網膜反射率を求める。
（ｅ）（ｄ）で求めた変換網膜反射率から被検眼Ｅの光学的特性（屈折力）を演算する。
【００４５】
即ち、赤外光束で測定された点像強度分布Ｉ（ｘ）において眼底ＥＲのにじみの大きさに応じたフィルタリング処理を行うことで点像強度分布Ｉ（ｘ）を補正する。ここでいうフィルタリング処理とは、（１）式の補正要素ＱY（ｘ）と同じ役割を持つことから、点像強度分布Ｉ（ｘ）に補正要素Ｑ（ｘ）で補正を行った後に、（１）式の点像強度分布Ｖ（ｘ）を算出して被検眼Ｅの光学的特性を演算する。また、図示を略す計算機（マイクロコンピュータ）によって、フィルタリングによるにじみを取り除くための画像処理を行う。
【００４６】
この、画像処理されたものは、被検眼Ｅの屈折力に対応して被検眼Ｅに提示された指標提示装置３からの所定の検眼用指標における被検眼Ｅでの見え方として表示部としてのモニタ２６に表示される。
【００４７】
このように、測定網膜反射率（に対応する測定点像強度分布）に補正を施して補正網膜反射率（に対応する補正点像強度分布）とした上で、赤外域の光束とは異なる可視域での変換網膜反射率（に対応する変換点像強度分布）に変換した状態で被検眼Ｅの光学的特性（屈折力）を演算すると共に、その演算結果に基づく見え方をモニタ２６に表示することにより、赤外光束での測定時に人種等の違いに起因するにじみ量の差（反射率の差）を解消した信頼性の高い測定値を求めることができる。
【００４８】
【実施例２】
図２は、本発明の眼科装置の実施例２を示し、上記実施例１の照明光学系１０並びに受光光学系２０のほか、補正要素を求めるための第２受光光学系３０を設けたものである。
【００４９】
第２受光光学系３０は、被検眼Ｅの前眼部を可視域の照明光束で照明する照明光源（図示せず）、対物レンズ１５、斜設ハーフミラー１４、斜設ハーフミラー３１、結像レンズ３２、第２受光部としてのＣＣＤ３３をこの順に備えている。尚、対物レンズ１５と斜設ハーフミラー１４とは各光学系１０，２０，３０で共用していると共に、主光軸Ｏ３上の斜設ハーフミラー１４，２２の間に斜設ハーフミラー３１を配置したことから、受光光学系２０においても斜設ハーフミラー３１を共用している。
【００５０】
被検眼Ｅの前眼部で反射された反射光束は、対物レンズ１５及び斜設ハーフミラー１４を透過した後、斜設ハーフミラー３１によって第２受光光軸Ｏ６に向けて反射され、結像レンズ３２によってＣＣＤ３３に受光される。
【００５１】
ＣＣＤ３３は、その受光された反射光束に基づく第２信号を演算部２５に出力する。また、演算部２５は、その第２信号を考慮して第１信号に応じた補正を施した上で第１波長の光束とは異なる第２波長の光束での被検眼Ｅの光学的特性を演算する。
【００５２】
この際、第２信号の基となる反射光束は、被検眼Ｅの前眼部としての虹彩ＥＩや瞼（図示せず）等からの反射光束が考えられる。尚、図２では角膜ＥＣの頂点とＣＣＤ３３の受光面とが共役となっているが、実際には上述した虹彩ＥＩや瞼等の補正要素の判断基となる部位とＣＣＤ３３の受光面とが共役となる。
【００５３】
虹彩ＥＩからの反射光束を補正要素とする場合、測定時に眼底ＥＲでの点像強度分布の測定を行う受光光学系２０とは別に、第２受光光学系３０によって虹彩ＥＩの反射率を測定し、その反射率に基づいて虹彩ＥＩの色の違い（黒系・茶系・青系）からにじみの度合を判別して（２），（３）式のＰB（ｘ），ＰW（ｘ）を選択し、測定された測定点像強度分布を補正すればよい。
【００５４】
即ち、演算部２５では、点像強度分布Ｉ（ｘ）に、虹彩ＥＩに焦点を合わせたＣＣＤ３３において虹彩ＥＩの像を撮影してその虹彩反射率から人種を特定した補正要素ＰB（ｘ），ＰW（ｘ）で補正を行った後に、（１）式の点像強度分布Ｖ（ｘ）を算出して被検眼Ｅの光学的特性を演算する。また、図示を略する計算機（マイクロコンピュータ）によって、フィルタリングによるにじみを取り除くための画像処理を行う。
【００５５】
この、画像処理されたものは、被検眼Ｅの屈折力に対応して被検眼Ｅに提示された指標提示装置３からの所定の検眼用指標における被検眼Ｅでの見え方として表示部としてのモニタ２６に表示される。
【００５６】
瞼からの反射光束を補正要素とする場合、測定時に眼底ＥＲでの点像強度分布の測定を行う受光光学系１０とは別に、第２受光光学系３０によって被検眼Ｅの瞼の反射率を測定し、その反射率に基づいて瞼の色の違い（黒人系・東洋人系・白人系）から人種を判別して（１）式のＰB（ｘ），ＰW（ｘ）を選択し、測定された点像強度分布を補正すればよい。
【００５７】
すなわち、演算部２５では、点像強度分布Ｉ（ｘ）に、瞼に焦点を合わせたＣＣＤ３３において瞼の像を撮影して、その瞼反射率から人種を特定した補正要素ＰB（ｘ），ＰW（ｘ）で補正を行った後に、（１）式の点像強度分布Ｖ（ｘ）を算出して被検眼Ｅの光学的特性を演算する。また、図示を略す計算機（マイクロコンピュータ）によって、フィルタリングによるにじみを取り除くための画像処理を行う。
【００５８】
この、画像処理されたものは、被検眼Ｅの屈折力に対応して被検眼Ｅに提示された指標提示装置３からの所定の検眼用指標における被検眼Ｅでの見え方として表示部としてのモニタ２６に表示される。
【００５９】
ところで、この実施例２では、点像強度分布で補正・変換処理を行うものとして説明したが、網膜反射率で補正・変換処理を行っても良い。
【００６０】
【実施例３】
図３は、本発明の眼科装置の実施例３を示し、上記実施例１の照明光学系１０並びに受光光学系２０の光学系自体は同一であるが、装置本体に設けられた選択スイッチ等からなる入力部４０から演算部２５に直接補正要素を入力するようにしたものである。
【００６１】
検者は被検者の屈折力を測定する際には、人種や虹彩ＥＩの色の濃さなどの補正要素となり得る情報を直接得ることができる。そこで、測定する際に予め被験者の人種や虹彩ＥＩの色の濃さ等を入力部４０から直接入力することにより補正要素を人為的に選択し、受光光学系１０で測定された点像強度分布に対して補正を行う。
【００６２】
即ち、点像強度分布Ｉ（ｘ）に、予め指定入力された人種や虹彩ＥＩの色の濃さに対応した補正要素ＰB（ｘ），ＰW（ｘ）で補正を行った後に、（１）式の点像強度分布Ｖ（ｘ）を算出して被検眼Ｅの光学的特性を演算する。また、図示を略す計算機（マイクロコンピュータ）によって、フィルタリングによるにじみを取り除くための画像処理を行う。
【００６３】
この、画像処理されたものは、被検眼Ｅの屈折力に対応して被検眼Ｅに提示された指標提示装置３からの所定の検眼用指標における被検眼Ｅでの見え方として表示部としてのモニタ２６に表示される。
【００６４】
ところで、この実施例２では、点像強度分布で補正・変換処理を行うものとして説明したが、網膜反射率で補正・変換処理を行っても良い。
【００６５】
【発明の効果】
以上説明したように、本発明の眼科装置にあっては、眼底からの反射光束に基づく点像強度分布を測定すると同時に、反射率の差に応じた補正要素で補正を施した上で被検眼の光学的特性を求めるようにしたので、赤外域の第１波長での測定を第１波長とは異なる領域の第２波長での測定値に変換すると共に、その変換の際に補正を行うことによって測定結果の信頼性を向上させることができる。
【図面の簡単な説明】
【図１】本発明に関わる眼科装置における実施例１の光学系の説明図である。
【図２】本発明に関わる眼科装置における実施例２の光学系の説明図である。
【図３】本発明に関わる眼科装置における実施例３の光学系の説明図である。
【図４】眼底に点像を投影した場合の点像強度分布を表したグラフ図である。
【図５】赤外光の測定値から可視光での値に補正する場合の点像強度分布を表したグラフ図で、（Ａ）は補正前、（Ｂ）は補正後である。
【図６】反射率の差に応じた点像強度分布を表したグラフ図である。
【図７】反射率の差に応じた点像強度分布を正規化して表したグラフ図である。
【図８】反射率の差に応じた補正に関する一覧の図表である。
【図９】従来の眼科装置における光学系の説明図である。
【符号の説明】
Ｅ…被検眼
ＥＩ…虹彩
ＥＭ…網膜
ＥＲ…眼底
１０…照明光学系
１１…赤外光源（光源）
２０…受光光学系
２１…ＣＣＤ（受光部）
２５…演算部
２６…モニタ（表示部）
３０…第２受光光学系
３３…ＣＣＤ（第２受光部）
４０…入力部
【図１】
0004255587.tif 000002
【図２】
0004255587.tif 000003
【図３】
0004255587.tif 000004
【図４】
0004255587.tif 000005
【図５】
0004255587.tif 000006
【図６】
0004255587.tif 000007
【図７】
0004255587.tif 000008
【図８】
0004255587.tif 000009
【図９】
0004255587.tif 000010